(57)【要約】【課題】廃棄物の品質に応じて排出事業者毎に適切な廃棄物処理受託料を決定する。【解決手段】廃棄物処理受託料決定装置１は、廃棄物を湿式メタン発酵槽２２で処理してメタンガスを含むバイオガスを発生させる廃棄物処理施設での廃棄物処理受託料を決定する。廃棄物処理受託料決定装置１は、前記廃棄物の前処理で除去される異物量、前記廃棄物の含水率、及び前記廃棄物のメタン発生効率を含む前記廃棄物の解析結果を取得する取得部１１と、前記異物量、前記含水率及び前記メタン発生効率に基づいて、前記廃棄物の処理受託料を計算する計算部１２と、を備える。【選択図】図１
2019144810.tif 000002
【特許請求の範囲】
【請求項１】
廃棄物をメタン発酵槽で処理してメタンガスを含むバイオガスを発生させる廃棄物処理施設での廃棄物処理受託料を決定する装置であって、
前記廃棄物の前処理で除去される異物量、前記廃棄物の含水率、及び前記廃棄物のメタン発生効率を含む前記廃棄物の解析結果を取得する取得部と、
前記異物量、前記含水率及び前記メタン発生効率に基づいて、前記廃棄物の処理受託料を計算する計算部と、
を備える廃棄物処理受託料決定装置。
【請求項２】
前記取得部は、排出事業者毎の前記廃棄物の解析結果を取得し、
前記計算部は、排出事業者毎の処理受託料を計算することを特徴とする請求項１に記載の廃棄物処理受託料決定装置。
【請求項３】
前記計算部は、前記メタン発生効率が高い程、前記処理受託料が低くなるように計算を行うことを特徴とする請求項１又は２に記載の廃棄物処理受託料決定装置。
【請求項４】
前記計算部は、前記異物量及び／又は前記含水率が低い程、前記処理受託料が低くなるように計算を行うことを特徴とする請求項１乃至３のいずれか１項に記載の廃棄物処理受託料決定装置。
【請求項５】
廃棄物をメタン発酵槽で処理してメタンガスを含むバイオガスを発生させる廃棄物処理施設での廃棄物処理受託料を決定する方法であって、
前記廃棄物の前処理で除去される異物量を測定する工程と、
前記廃棄物の含水率を測定する工程と、
前記廃棄物のメタン発生効率を計算する工程と、
前記異物量、前記含水率及び前記メタン発生効率に基づいて、前記廃棄物の処理受託料を計算する工程と、
を備える廃棄物処理受託料決定方法。
【発明の詳細な説明】
【技術分野】
【０００１】
本発明は、廃棄物処理受託料決定装置及び廃棄物処理受託料決定方法に関する。
【背景技術】
【０００２】
近年、家畜糞尿、食品残渣物等の廃棄物をメタン発酵させてメタンガスを含むバイオガスを生成し、生成したバイオガスをガス発電機に供給して発電を行うバイオガス発電が注目されている。排出事業者から収集した廃棄物は、運搬車でバイオガス発電施設へ搬入されていた。バイオガス発電施設を運営している事業者は、廃棄物の処理受託料（ゲートフィー）と、発電した電力の売電とにより収益をあげることができる。
【０００３】
バイオガス発電施設には様々な排出事業者からの廃棄物が搬入され、メタン発酵に適さない異物を除去してから、廃棄物がメタン発酵槽へ投入される。排出事業者によって、廃棄物の種類や異物量が異なるため、廃棄物の搬入量が同じでも、最終的に生成されるメタンガスの量は異なっていた。廃棄物のメタンガス発生能力に応じて、排出事業者毎に適切なゲートフィーを設定することが望まれている。
【先行技術文献】
【特許文献】
【０００４】
【特許文献１】特開平９−１８４７９７号公報
【特許文献２】特開２００１−１５０６６３号公報
【特許文献３】特開２００２−７３９０４号公報
【発明の概要】
【発明が解決しようとする課題】
【０００５】
本発明は、上記従来の実状に鑑みてなされたものであり、廃棄物の品質に応じて排出事業者毎に適切な廃棄物処理受託料を決定する廃棄物処理受託料決定装置及び廃棄物処理受託料決定方法を提供することを課題とする。
【課題を解決するための手段】
【０００６】
本発明による廃棄物処理受託料決定装置は、廃棄物をメタン発酵槽で処理してメタンガスを含むバイオガスを発生させる廃棄物処理施設での廃棄物処理受託料を決定する装置であって、前記廃棄物の前処理で除去される異物量、前記廃棄物の含水率、及び前記廃棄物のメタン発生効率を含む前記廃棄物の解析結果を取得する取得部と、前記異物量、前記含水率及び前記メタン発生効率に基づいて、前記廃棄物の処理受託料を計算する計算部と、を備えるものである。
【０００７】
本発明の一態様において、前記取得部は、排出事業者毎の前記廃棄物の解析結果を取得し、前記計算部は、排出事業者毎の処理受託料を計算する。
【０００８】
本発明の一態様において、前記計算部は、前記メタン発生効率が高い程、前記処理受託料が低くなるように計算を行う。
【０００９】
本発明の一態様において、前記計算部は、前記異物量及び／又は前記含水率が低い程、前記処理受託料が低くなるように計算を行う。
【００１０】
本発明による廃棄物処理受託料決定方法は、廃棄物をメタン発酵槽で処理してメタンガスを含むバイオガスを発生させる廃棄物処理施設での廃棄物処理受託料を決定する方法であって、前記廃棄物の前処理で除去される異物量を測定する工程と、前記廃棄物の含水率を測定する工程と、前記廃棄物のメタン発生効率を計算する工程と、前記異物量、前記含水率及び前記メタン発生効率に基づいて、前記廃棄物の処理受託料を計算する工程と、を備えるものである。
【発明の効果】
【００１１】
本発明によれば、廃棄物の品質に応じて排出事業者毎に適切な廃棄物処理受託料を決定することができる。
【図面の簡単な説明】
【００１２】
【図１】本発明の実施形態に係る廃棄物処理システムの模式図である。
【図２】同実施形態に係る廃棄物処理受託料決定装置の機能ブロック図である。
【発明を実施するための形態】
【００１３】
以下、本発明の実施の形態を図面に基づいて説明する。
【００１４】
図１は、本発明の実施形態に係る廃棄物処理システムの模式図である。図１に示すように、廃棄物処理システムは、廃棄物をメタン発酵させてメタンガスを含むバイオガスを生成し、生成したバイオガスを利用する廃棄物処理施設２と、廃棄物を排出する排出事業者４毎に廃棄物の処理受託料（ゲートフィー）を決定する廃棄物処理受託料決定装置１とを備える。
【００１５】
廃棄物処理施設としては、例えば産廃処理施設、一般廃棄物処理施設、し尿処理場、下水処理場などが挙げられる。バイオガスの利用としては、発電を行う、ボイラ燃料とする、導管注入する、精製又は液化して燃料とする、水素を製造するなどが挙げられる。下記の実施形態では、発電を行う例について説明する。
【００１６】
廃棄物処理施設２には、排出事業者４から排出された廃棄物が運搬車３により搬入される。搬入される廃棄物は、家畜糞尿、食品残渣物等の有機ごみであり、排出事業者４毎に種類が異なる。
【００１７】
廃棄物処理施設２には、前処理部２１、メタン発酵槽２２、発電機２３、脱水器２４等が設置されている。前処理部２１は、例えば、破砕、選別、調質の機能を有し、メタン発酵に適さない異物を除去したり、水分調整を行ったりする。破砕、選別機能を有する装置としては、多軸式低速回転破砕機や回転ブレード式破砕分別機、湿式破砕分別機等を用いることができる。
【００１８】
メタン発酵槽２２は、前処理部２１から供給される有機性廃棄物を、嫌気性反応により減量化すると共にメタンガスを含むバイオガスを発生させる。メタン発酵槽２２は、嫌気性条件を維持するために密閉槽であり、熱の拡散を抑えるために断熱構造となっている。
【００１９】
発電機２３はガスエンジン発電機であり、メタン発酵槽２２で発生したバイオガスを用いて発電を行う。発電された電力は、売電システムを用いて売電される。
【００２０】
メタン発酵槽２２で生成されるバイオガスの主成分はメタンガス及び二酸化炭素であり、微量の硫化水素が含まれる。そのため、発電機２３にバイオガスを供給する前に、脱硫装置（図示略）により硫化水素が除去される。
【００２１】
脱水器２４は、メタン発酵槽２２の消化液の脱水処理を行う。脱水残渣は、焼却処理されたり、堆肥化利用されたりする。脱水濾液は、前処理部２１で再利用されたり、分離水処理設備（図示略）で処理されたりする。
【００２２】
前処理部２１で除去された異物は焼却処理等の処分費がかかる。従って、異物量の少ない廃棄物は、異物量の多い廃棄物よりも処理受託料を安価に設定することが好ましい。
【００２３】
含水率の低い廃棄物は、含水率の高い廃棄物と比較して、固形物濃度（ＴＳ）が高く、メタンガスに分解する有機物の割合が多く、発電機２３の発電量が多くなる。発電量の増加に伴い、売電による収益が増加する。従って、含水率の低い廃棄物は、含水率の高い廃棄物よりも処理受託料を安価に設定することが好ましい。
【００２４】
メタン発生効率（分解有機物量当りのメタン発生量。単位はＮｍ３／ｔ−ＶＳ）の高い廃棄物は、メタン発生効率の低い廃棄物よりも発電機２３の発電量が多くなり、売電による収益が大きい。従って、メタン発生効率の高い廃棄物は、メタン発生効率の低い廃棄物よりも処理受託料を安価に設定することが好ましい。
【００２５】
本実施形態に係る廃棄物処理受託料決定装置１は、排出事業者４毎に、排出される廃棄物の品質に応じた処理受託料（例えば廃棄物１トンあたりの処理受託料）を決定する。
【００２６】
廃棄物処理施設２では、排出事業者４毎に、廃棄物の異物量、含水率、メタン発生効率を分析する。廃棄物中の異物量の情報は、前処理部２１で除去された異物量を測定することで得られる。
【００２７】
廃棄物の含水率の情報は、例えば、含水率計（水分計）を用いて、廃棄物から採取したサンプルの含水率を測定することで得られる。
【００２８】
メタン発生効率の情報は、例えば、「バイオガス化マニュアル」（（社）日本有機資源協会（平成１８年８月））の『有機性廃棄物１トンあたりのバイオガス発生量例』により得られる。これによると、豚ふん尿１トンあたり約５０ｍ３、ビール醸造粕１トンあたり約１２０ｍ３、食品残渣１トンあたり約２２０ｍ３のバイオガスが発生する。メタン発酵槽２２でのバイオガス発生量を測定し、測定結果と、メタン発酵槽２２への廃棄物投入量とからメタン発生効率を推定してもよい。また、発電機２３の発電量と、メタン発酵槽２２への廃棄物投入量とから、メタン発生効率を推定してもよい。
【００２９】
廃棄物処理施設２に設けられた分析結果送信部２０は、インターネット等を介して、排出事業者４毎の廃棄物の分析結果（異物量、含水率及びメタン発生効率）を廃棄物処理受託料決定装置１へ送信する。
【００３０】
図２は、廃棄物処理受託料決定装置１の機能を示すブロック図である。廃棄物処理受託料決定装置１は、ＣＰＵ（中央演算処理装置）や、フラッシュメモリ、ＲＯＭ（Ｒｅａｄ−ｏｎｌｙ  Ｍｅｍｏｒｙ）、ＲＡＭ（Ｒａｎｄｏｍ  Ａｃｃｅｓｓ  Ｍｅｍｏｒｙ）、ハードディスク等からなる記憶部１０を有したコンピュータである。
【００３１】
記憶部１０は、受託料決定プログラム、施設情報、排出事業者情報、及び数式データ等を記憶している。
【００３２】
施設情報には、廃棄物処理施設２の所在地、施設運営費等が登録されている。
【００３３】
排出事業者情報は、廃棄物を排出する排出事業者４の所在地、排出される廃棄物の種類、現在の処理受託料等が登録されている。
【００３４】
数式データには、処理受託料を決定するための数式（係数）が記録されている。
【００３５】
廃棄物処理受託料決定装置１のＣＰＵが受託料決定プログラムを実行することで、分析結果取得部１１、受託料計算部１２及び更新部１３が実現される。
【００３６】
分析結果取得部１１は、廃棄物処理施設２の分析結果送信部２０から、廃棄物の分析結果を取得する。
【００３７】
受託料計算部１２は、廃棄物の分析結果と、数式データとを用いて、排出事業者４毎に、廃棄物の処理受託料を計算する。例えば、数式データには、以下のような数式が登録されている。
【００３８】
処理受託料＝（ａ×異物量＋ｂ×含水率＋ｃ×移送費＋ｄ×施設運営費）−ｅ×メタン発生効率
【００３９】
移送費は、異物を焼却処理施設へ運搬する費用であり、廃棄物処理施設２の所在地から算出される。施設運営費は、施設情報に登録されている。
【００４０】
受託料計算部１２は、上記数式の異物量、含水率、メタン発生効率に、分析結果送信部２から受信した分析結果を代入し、処理受託料を計算する。
【００４１】
更新部１３は、受託料計算部１２の計算結果に基づいて、排出事業者情報に登録されている処理受託料を更新する。
【００４２】
このように、本実施形態によれば、廃棄物の処理受託料を、異物量、含水率、メタン発生効率等に基づいて、適切に決定できる。例えば、異物量が多く、異物の焼却処分費などが嵩む廃棄物を排出する排出事業者４については、処理受託料が高く設定される。一方、異物量が少なく、メタンガスの発生効率が高い良質な廃棄物を排出する排出事業者４については、処理受託料が低く設定される。
【００４３】
なお、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【符号の説明】
【００４４】
１  廃棄物処理受託料決定装置
２  廃棄物処理施設
３  運搬車
４  排出事業者
【図１】
2019144810.tif 000003
【図２】
2019144810.tif 000004
【手続補正書】
【提出日】平成31年4月15日(2019.4.15)
【手続補正１】
【補正対象書類名】明細書
【補正対象項目名】全文
【補正方法】変更
【補正の内容】
【発明の詳細な説明】
【技術分野】
【０００１】
本発明は、廃棄物処理受託料決定装置及び廃棄物処理受託料決定方法に関する。
【背景技術】
【０００２】
近年、家畜糞尿、食品残渣物等の廃棄物をメタン発酵させてメタンガスを含むバイオガスを生成し、生成したバイオガスをガス発電機に供給して発電を行うバイオガス発電が注目されている。排出事業者から収集した廃棄物は、運搬車でバイオガス発電施設へ搬入されていた。バイオガス発電施設を運営している事業者は、廃棄物の処理受託料（ゲートフィー）と、発電した電力の売電とにより収益をあげることができる。
【０００３】
バイオガス発電施設には様々な排出事業者からの廃棄物が搬入され、メタン発酵に適さない異物を除去してから、廃棄物が湿式メタン発酵槽へ投入される。排出事業者によって、廃棄物の種類や異物量が異なるため、廃棄物の搬入量が同じでも、最終的に生成されるメタンガスの量は異なっていた。廃棄物のメタンガス発生能力に応じて、排出事業者毎に適切なゲートフィーを設定することが望まれている。
【先行技術文献】
【特許文献】
【０００４】
【特許文献１】特開平９−１８４７９７号公報
【特許文献２】特開２００１−１５０６６３号公報
【特許文献３】特開２００２−７３９０４号公報
【発明の概要】
【発明が解決しようとする課題】
【０００５】
本発明は、上記従来の実状に鑑みてなされたものであり、廃棄物の品質に応じて排出事業者毎に適切な廃棄物処理受託料を決定する廃棄物処理受託料決定装置及び廃棄物処理受託料決定方法を提供することを課題とする。
【課題を解決するための手段】
【０００６】
本発明による廃棄物処理受託料決定装置は、廃棄物を湿式メタン発酵槽で処理してメタンガスを含むバイオガスを発生させる廃棄物処理施設での廃棄物処理受託料を決定する装置であって、前記廃棄物の前処理で除去される異物量、前記廃棄物の含水率、及び前記廃棄物のメタン発生効率を含む前記廃棄物の解析結果を取得する取得部と、前記異物量、前記含水率及び前記メタン発生効率に基づいて、前記廃棄物の処理受託料を計算する計算部と、を備えるものである。
【０００７】
本発明の一態様において、前記取得部は、排出事業者毎の前記廃棄物の解析結果を取得し、前記計算部は、排出事業者毎の処理受託料を計算する。
【０００８】
本発明の一態様において、前記計算部は、前記メタン発生効率が高い程、前記処理受託料が低くなるように計算を行う。
【０００９】
本発明の一態様において、前記計算部は、前記異物量及び／又は前記含水率が低い程、前記処理受託料が低くなるように計算を行う。
【００１０】
本発明による廃棄物処理受託料決定方法は、廃棄物を湿式メタン発酵槽で処理してメタンガスを含むバイオガスを発生させる廃棄物処理施設での廃棄物処理受託料を決定する方法であって、前記廃棄物の前処理で除去される異物量を測定する工程と、前記廃棄物の含水率を測定する工程と、前記廃棄物のメタン発生効率を計算する工程と、前記異物量、前記含水率及び前記メタン発生効率に基づいて、前記廃棄物の処理受託料を計算する工程と、を備えるものである。
【発明の効果】
【００１１】
本発明によれば、廃棄物の品質に応じて排出事業者毎に適切な廃棄物処理受託料を決定することができる。
【図面の簡単な説明】
【００１２】
【図１】本発明の実施形態に係る廃棄物処理システムの模式図である。
【図２】同実施形態に係る廃棄物処理受託料決定装置の機能ブロック図である。
【発明を実施するための形態】
【００１３】
以下、本発明の実施の形態を図面に基づいて説明する。
【００１４】
図１は、本発明の実施形態に係る廃棄物処理システムの模式図である。図１に示すように、廃棄物処理システムは、廃棄物を湿式メタン発酵させてメタンガスを含むバイオガスを生成し、生成したバイオガスを利用する廃棄物処理施設２と、廃棄物を排出する排出事業者４毎に廃棄物の処理受託料（ゲートフィー）を決定する廃棄物処理受託料決定装置１とを備える。
【００１５】
廃棄物処理施設としては、例えば産廃処理施設、一般廃棄物処理施設、し尿処理場、下水処理場などが挙げられる。バイオガスの利用としては、発電を行う、ボイラ燃料とする、導管注入する、精製又は液化して燃料とする、水素を製造するなどが挙げられる。下記の実施形態では、発電を行う例について説明する。
【００１６】
廃棄物処理施設２には、排出事業者４から排出された廃棄物が運搬車３により搬入される。搬入される廃棄物は、家畜糞尿、食品残渣物等の有機ごみであり、排出事業者４毎に種類が異なる。
【００１７】
廃棄物処理施設２には、前処理部２１、湿式メタン発酵槽２２、発電機２３、脱水器２４等が設置されている。前処理部２１は、例えば、破砕、選別、調質の機能を有し、湿式メタン発酵に適さない異物を除去したり、水分調整を行ったりする。破砕、選別機能を有する装置としては、多軸式低速回転破砕機や回転ブレード式破砕分別機、湿式破砕分別機等を用いることができる。
【００１８】
湿式メタン発酵槽２２は、前処理部２１から供給される有機性廃棄物を、嫌気性反応により減量化すると共にメタンガスを含むバイオガスを発生させる。湿式メタン発酵槽２２は、嫌気性条件を維持するために密閉槽であり、熱の拡散を抑えるために断熱構造となっている。
【００１９】
発電機２３はガスエンジン発電機であり、湿式メタン発酵槽２２で発生したバイオガスを用いて発電を行う。発電された電力は、売電システムを用いて売電される。
【００２０】
湿式メタン発酵槽２２で生成されるバイオガスの主成分はメタンガス及び二酸化炭素であり、微量の硫化水素が含まれる。そのため、発電機２３にバイオガスを供給する前に、脱硫装置（図示略）により硫化水素が除去される。
【００２１】
脱水器２４は、湿式メタン発酵槽２２の消化液の脱水処理を行う。脱水残渣は、焼却処理されたり、堆肥化利用されたりする。脱水濾液は、前処理部２１で再利用されたり、分離水
処理設備（図示略）で処理されたりする。
【００２２】
前処理部２１で除去された異物は焼却処理等の処分費がかかる。従って、異物量の少ない廃棄物は、異物量の多い廃棄物よりも処理受託料を安価に設定することが好ましい。
【００２３】
含水率の低い廃棄物は、含水率の高い廃棄物と比較して、固形物濃度（ＴＳ）が高く、メタンガスに分解する有機物の割合が多く、発電機２３の発電量が多くなる。発電量の増加に伴い、売電による収益が増加する。従って、含水率の低い廃棄物は、含水率の高い廃棄物よりも処理受託料を安価に設定することが好ましい。
【００２４】
メタン発生効率（分解有機物量当りのメタン発生量。単位はＮｍ３／ｔ−ＶＳ）の高い廃棄物は、メタン発生効率の低い廃棄物よりも発電機２３の発電量が多くなり、売電による収益が大きい。従って、メタン発生効率の高い廃棄物は、メタン発生効率の低い廃棄物よりも処理受託料を安価に設定することが好ましい。
【００２５】
本実施形態に係る廃棄物処理受託料決定装置１は、排出事業者４毎に、排出される廃棄物の品質に応じた処理受託料（例えば廃棄物１トンあたりの処理受託料）を決定する。
【００２６】
廃棄物処理施設２では、排出事業者４毎に、廃棄物の異物量、含水率、メタン発生効率を分析する。廃棄物中の異物量の情報は、前処理部２１で除去された異物量を測定することで得られる。
【００２７】
廃棄物の含水率の情報は、例えば、含水率計（水分計）を用いて、廃棄物から採取したサンプルの含水率を測定することで得られる。
【００２８】
メタン発生効率の情報は、例えば、「バイオガス化マニュアル」（（社）日本有機資源協会（平成１８年８月））の『有機性廃棄物１トンあたりのバイオガス発生量例』により得られる。これによると、豚ふん尿１トンあたり約５０ｍ３、ビール醸造粕１トンあたり約１２０ｍ３、食品残渣１トンあたり約２２０ｍ３のバイオガスが発生する。湿式メタン発酵槽２２でのバイオガス発生量を測定し、測定結果と、湿式メタン発酵槽２２への廃棄物投入量とからメタン発生効率を推定してもよい。また、発電機２３の発電量と、湿式メタン発酵槽２２への廃棄物投入量とから、メタン発生効率を推定してもよい。
【００２９】
廃棄物処理施設２に設けられた分析結果送信部２０は、インターネット等を介して、排出事業者４毎の廃棄物の分析結果（異物量、含水率及びメタン発生効率）を廃棄物処理受託料決定装置１へ送信する。
【００３０】
図２は、廃棄物処理受託料決定装置１の機能を示すブロック図である。廃棄物処理受託料決定装置１は、ＣＰＵ（中央演算処理装置）や、フラッシュメモリ、ＲＯＭ（Ｒｅａｄ−ｏｎｌｙ  Ｍｅｍｏｒｙ）、ＲＡＭ（Ｒａｎｄｏｍ  Ａｃｃｅｓｓ  Ｍｅｍｏｒｙ）、ハードディスク等からなる記憶部１０を有したコンピュータである。
【００３１】
記憶部１０は、受託料決定プログラム、施設情報、排出事業者情報、及び数式データ等を記憶している。
【００３２】
施設情報には、廃棄物処理施設２の所在地、施設運営費等が登録されている。
【００３３】
排出事業者情報は、廃棄物を排出する排出事業者４の所在地、排出される廃棄物の種類、現在の処理受託料等が登録されている。
【００３４】
数式データには、処理受託料を決定するための数式（係数）が記録されている。
【００３５】
廃棄物処理受託料決定装置１のＣＰＵが受託料決定プログラムを実行することで、分析結果取得部１１、受託料計算部１２及び更新部１３が実現される。
【００３６】
分析結果取得部１１は、廃棄物処理施設２の分析結果送信部２０から、廃棄物の分析結果を取得する。
【００３７】
受託料計算部１２は、廃棄物の分析結果と、数式データとを用いて、排出事業者４毎に、廃棄物の処理受託料を計算する。例えば、数式データには、以下のような数式が登録されている。
【００３８】
処理受託料＝（ａ×異物量＋ｂ×含水率＋ｃ×移送費＋ｄ×施設運営費）−ｅ×メタン発生効率
【００３９】
移送費は、異物を焼却処理施設へ運搬する費用であり、廃棄物処理施設２の所在地から算出される。施設運営費は、施設情報に登録されている。
【００４０】
受託料計算部１２は、上記数式の異物量、含水率、メタン発生効率に、分析結果送信部２から受信した分析結果を代入し、処理受託料を計算する。
【００４１】
更新部１３は、受託料計算部１２の計算結果に基づいて、排出事業者情報に登録されている処理受託料を更新する。
【００４２】
このように、本実施形態によれば、廃棄物の処理受託料を、異物量、含水率、メタン発生効率等に基づいて、適切に決定できる。例えば、異物量が多く、異物の焼却処分費などが嵩む廃棄物を排出する排出事業者４については、処理受託料が高く設定される。一方、異物量が少なく、メタンガスの発生効率が高い良質な廃棄物を排出する排出事業者４については、処理受託料が低く設定される。
【００４３】
なお、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【符号の説明】
【００４４】
１  廃棄物処理受託料決定装置
２  廃棄物処理施設
３  運搬車
４  排出事業者
【手続補正２】
【補正対象書類名】特許請求の範囲
【補正対象項目名】全文
【補正方法】変更
【補正の内容】
【特許請求の範囲】
【請求項１】
廃棄物を湿式メタン発酵槽で処理してメタンガスを含むバイオガスを発生させる廃棄物処理施設での廃棄物処理受託料を決定する装置であって、
前記廃棄物の前処理で除去される異物量、前記廃棄物の含水率、及び前記廃棄物のメタン発生効率を含む前記廃棄物の解析結果を取得する取得部と、
前記異物量、前記含水率及び前記メタン発生効率に基づいて、前記廃棄物の処理受託料を計算する計算部と、
を備える廃棄物処理受託料決定装置。
【請求項２】
前記取得部は、排出事業者毎の前記廃棄物の解析結果を取得し、
前記計算部は、排出事業者毎の処理受託料を計算することを特徴とする請求項１に記載の廃棄物処理受託料決定装置。
【請求項３】
前記計算部は、前記メタン発生効率が高い程、前記処理受託料が低くなるように計算を行うことを特徴とする請求項１又は２に記載の廃棄物処理受託料決定装置。
【請求項４】
前記計算部は、前記異物量及び／又は前記含水率が低い程、前記処理受託料が低くなるように計算を行うことを特徴とする請求項１乃至３のいずれか１項に記載の廃棄物処理受託料決定装置。
【請求項５】
廃棄物を湿式メタン発酵槽で処理してメタンガスを含むバイオガスを発生させる廃棄物処理施設での廃棄物処理受託料を決定する方法であって、
前記廃棄物の前処理で除去される異物量を測定する工程と、
前記廃棄物の含水率を測定する工程と、
前記廃棄物のメタン発生効率を計算する工程と、
前記異物量、前記含水率及び前記メタン発生効率に基づいて、前記廃棄物の処理受託料を計算する工程と、
を備える廃棄物処理受託料決定方法。
【手続補正４】
【補正対象書類名】図面
【補正対象項目名】図１
【補正方法】変更
【補正の内容】
【図１】
2019144810.tif 000005